(57)【要約】  １つの上部領域と１つの下部領域および１つの流路（１１１、２１０、３１０、４１０、４１５、５１０）を有する照明器具ハウジング（１００、２００、３００、４００、５００）であって、この流路（１１０、２１０、３１０、４１０、４１５、５１０）が前記上部領域で１つの空気流出開口部（１２０、２２０、２２５、３２０、３２５、４２０、４２５）と、前記下部領域で１つの空気流入開口部（１３０、２３０、３３０、４３０、４３５、５３０）と接続されており、前記照明器具ハウジング（１００、２００、３００、４００、５００）が更に１つの照明モジュール（２５０、５５０）用の１つの収容空間を有し、この収容空間は照明モジュール（２５０、５５０）が、組立てられた状態において、前記流路（１１０、２１０、３１０、４１０、４１５、５１０）に接するように配置されている照明器具ハウジング（１００、２００、３００、４００、５００）。【選択図】図１ａ
2013524450.tif 000002
【特許請求の範囲】
【請求項１】
１つの上部領域と１つの下部領域および１つの流路（１１１、２１０、３１０、４１０、４１５、５１０）を有する照明器具ハウジング（１００、２００、３００、４００、５００）であって、
前記流路（１１０、２１０、３１０、４１０、４１５、５１０）が、前記上部領域で１つの空気流出開口部（１２０、２２０、２２５、３２０、３２５、４２０、４２５）と、前記下部領域で１つの空気流入開口部（１３０、２３０、３３０、４３０、４３５、５３０）と接続されており、
前記照明器具ハウジング（１００、２００、３００、４００、５００）が、更に１つの照明モジュール（２５０、５５０）用の１つの収容空間を有し、
前記収容空間は、前記照明モジュール（２５０、５５０）が組み立てられた状態において、前記流路（１１０、２１０、３１０、４１０、４１５、５１０）に接するように配置されていることを特徴とする照明器具ハウジング（１００、２００、３００、４００、５００）。
【請求項２】
１つの上部プレート（２８０、３８０、４８０、５８０）を有し、
前記空気流出開口部（２２５、３２５、４２５）が、前記上部プレート（２８０、３８０、４８０、５８０）内にあることを特徴とする請求項１に記載の照明器具ハウジング（２００、３００、４００、５００）。
【請求項３】
前記流路（１１０、２１０、３１０、４１０、４１５、５１０）が、照明器具ハウジング（１００、２００、３００、４００、５００）の組み立てられた状態において、少なくとも部分的に重力の作用する方向と平行に延在していることを特徴とする請求項１又は２に記載の照明器具ハウジング（１００、２００、３００、４００、５００）。
【請求項４】
１つの側壁（２０２ａ、３０２ａ、４０２ａ）を有し、
前記空気流出開口部（２２０、３２０、４２０）が、前記側壁（２０２ａ、３０２ａ、４０２ａ）の上部に在ることを特徴とする請求項１から３の１つに記載の照明器具ハウジング（２００、３００、４００）。
【請求項５】
前記空気流入開口部（２３０、３３０、４３０、４３５、５３０）が、照明器具ハウジング（１００、２００、３００、４００、５００）の１つの下部および／または１つの側壁内に在ることを特徴とする請求項１から４の１つに記載の照明器具ハウジング（１００、２００、３００、４００、５００）。
【請求項６】
１つの上部プレート（３８０、５８０）を有し、
前記上部プレート（３８０、５８０）の１つの側に複数の冷却フィン（５７０、５７１）の１つのグループ（３７０）が在り、
前記照明モジュール（２５０、５５０）用の収容空間が、前記上部プレート（３８０、５８０）の反対側で前記グループ（３７０）に対向して配置されていることを特徴とする請求項１から５の１つに記載の照明器具ハウジング（３００、５００）。
【請求項７】
前記複数の冷却フィンの長さが前記グループ内で変化し、特に、前記グループ（３７０）の中央部から周辺部へ向かって減少することを特徴とする請求項１から６の１つに記載の照明器具ハウジング（３００）。
【請求項８】
少なくとも２つの流路（２３０、３３０、４３０）を有し、
前記流路が、１つの共通の空気流出開口部（２２５、３２５、４２５）および／または１つの共通の空気流入開口部（４３５）と接続されていることを特徴とする請求項１から７の１つに記載の照明器具ハウジング（２００、３００、４００）。
【請求項９】
複数の照明モジュール用の多数の収容空間を有し、
１つの流路（２１０、３１０、４１０、５１０）が、少なくとも２つの収容空間と隣接していることを特徴とする請求項１から８の１つに記載の照明器具ハウジング（２００、３００、４００、５００）。
【請求項１０】
多数の流路（２１０、３１０、４１０、４１５）を有し、
１つの収容空間が少なくとも２つの流路（２１０、３１０、４１０、４１５）と隣接していることを特徴とする請求項１から９の１つに記載の照明器具ハウジング（２００、３００、４００）。
【請求項１１】
前記空気流入開口部（１３０、２３０、３３０、４３０、４３５）および／または前記空気流出開口部（１２０、２２０、２２５、３２０、３２５、４２０、４２５）が、スリットとして形成されていることを特徴とする請求項１から１０の１つに記載の照明器具ハウジング（１００、２００、３００、４００）。
【請求項１２】
１つの上部プレート（４８０）を有し、
前記空気流出開口部（４２５）が前記プレートに配置され、
前記プレート（４８０）が、前記空気流出開口部（４２５）の領域で上向きに湾曲されていることを特徴とする請求項１から１１の１つに記載の照明器具ハウジング（４００）。
【請求項１３】
１つの上部プレート（４８０）を有し、
前記空気流出開口部（４２５）の領域で、前記上部プレート（４８０）に１つの流路延長要素が配置され、
前記流路延長要素により、前記流路（４１５）の長さが前記上部プレート（４８０）を越えて上方に延長されていることを特徴とする請求項１から１２の１つに記載の照明器具ハウジング（４００）。
【請求項１４】
１つの上部プレート（５８０）を有し、
前記上部プレート（５８０）が前記空気流入開口部（５３０）と接し、且つ、前記空気流入開口部（５３０）の領域で照明器具ハウジング（５００）の下部領域に向けて曲げられていることを特徴とする請求項１から１３の１つに記載の照明器具ハウジング（５００）。
【請求項１５】
更に少なくとも２つの冷却フィン（５７０）を有し、
前記冷却フィンが、少なくとも部分的に前記流路（５１０）の中に配置され、
前記空気流出開口部を通って延び、特に前記冷却フィンが平行であり、
隣接する２つの冷却フィン（５７０）が或る相互間隔を有し、
前記間隔が、特に２５ｍｍ〜１００ｍｍ、好ましくは３０ｍｍ〜７０ｍｍ、特に好ましくは３５ｍｍ〜５０ｍｍであることを特徴とする請求項１から１４の１つに記載の照明器具ハウジング（５００）。
【請求項１６】
請求項１から１５の１つに記載の照明器具ハウジング（２００、３００、４００，５００）を備えた照明器具であって、
前記照明器具ハウジングが、更に１つの照明モジュール（２５０、５５０）を有し、
前記照明モジュール（２５０、５５０）が１つの側壁（２５６、５５６）および１つの上面（２５５、５５６）を有し、
前記照明モジュール（２５０、５５０）の前記側壁（２５６、５５６）および／または前記上面（２５５、５５５）が、前記流路（２１０、３１０、４１０、４１５、５１０）と隣接していることを特徴とする照明器具。
【請求項１７】
前記側壁（２５６）が、前記流路（２１０、３１０、４１０、４１５）の１つの壁を形成することを特徴とする請求項１６に記載の照明器具。
【請求項１８】
前記側壁（２５６）が複数の冷却フィンを有し、
前記冷却フィンが前記流路（２１０、３１０、４１０、４１５）の方向に向けられていることを特徴とする請求項１６または１７に記載の照明器具。
【請求項１９】
前記複数の冷却フィンが、少なくとも部分的に前記流路（２１０、３１０、４１０、４１５）と平行に延びていることを特徴とする請求項１８に記載の照明器具。
【請求項２０】
前記照明モジュール（２５０、５５０）の上面（２５５、５５５）が、前記照明器具ハウジング（２００、３００、４００，５００）の１つの上部プレート（２８０、３８０、４８０、５８０）に配置されていることを特徴とする請求項１６から１９の１つに記載の照明器具。
【請求項２１】
前記照明モジュール（２５０）が、更に１つの反射器（２４０）と１つの発光体（２５１）とを含むことを特徴とする請求項１６から２０の１つに記載の照明器具。
【発明の詳細な説明】
【技術分野】
【０００１】
本発明は、特に道路照明器具および歩道照明器具用の照明器具ハウジング、ならびに屋内用および屋外用の投光器用の照明器具ハウジングに関する。
【背景技術】
【０００２】
照明器具に使用されるＬＥＤのような発光体ではかなりの熱量が発生し、この熱量は照明器具から排出されねばならない。
【発明の概要】
【発明が解決しようとする課題】
【０００３】
本発明の課題は、照明器具の発光体、例えば１つまたは複数のＬＥＤやＬＥＤアレイの効果的な冷却を提供することである。
【課題を解決するための手段】
【０００４】
この課題は、本発明請求項１による照明器具ハウジングによって解決される。この照明器具は、組立てられた状態で１つの上部領域と１つの下部領域とを有する。この照明器具は、下部領域に１つの空気流入開口部と、上部領域に空気流出開口部を有する。これらの空気流入開口部と空気流出開口部は、１つの流路で互いに接続されている。この照明器具は、さらに１つの照明モジュールのための１つの収容空間を有する。この収容空間は、この照明モジュールが収容された状態で、照明モジュールがこの流路の近くに配置されるように設けられている。幾つかの実施形態では、この収容空間は、照明モジュールが収容された状態で、照明モジュールの１つの側壁が流路の１つの壁を形成するように配置されている。
【０００５】
この照明モジュールで、特に照明モジュールの発光体で生じる熱は、流路中に存在する空気に与えられる。照明モジュールと流路が隣接して配置されているので、良好な熱移管が行なわれる。これにより、流路中の空気が暖められる。暖められた空気は、照明器具ハウジングの上部領域へ向かって上昇する。この空気は、上部領域の空気流出開口部から照明器具ハウジングを離れる。より冷たい周辺空気が、下部領域に配置された空気流入開口部を通って流路に流入する。このようにして煙突効果が生じ、これにより照明モジュール、特に発光体の効果的な冷却が可能となる。
【０００６】
この流路が、形の整った断面を有しており、横方向の穴がないと特に有利である。横方向の穴には渦流が発生し、これが煙突効果を低減するからである。
【０００７】
この照明器具ハウジングは、有利な実施形態では上部領域に１つの上部プレートを有することができる。この場合には、空気流出開口部はこの上部プレートに設けることができる。この上部プレートは、特に有利な実施形態では水平に延在している。これにより、暖められた空気の上方への妨げられない流出が生じる。
【０００８】
有利な一実施形態では流路は、照明器具ハウジングの組立状態において少なくとも部分的に、重力と平行に延在するように方向付けられている。
【０００９】
有利な一実施形態では照明器具ハウジングは１つの側壁を有し、空気流出開口部はこの側壁の上部に設置されている。こうすることにより、空気流出開口部はハウジングの横側に設置される。こうしてこの実施形態では、雨滴や汚れのような下方に落ちてくる物体は流路に侵入しにくく、また、そこに付着しにくい。
【００１０】
有利な一実施形態では、照明器具ハウジングは１つの下部構造部を有し、空気流入開口部はこの下部構造部に配置されている。この下部構造部への配置により、流路長は最大となり、煙突効果が強められる。
【００１１】
他の実施形態では、空気流入開口部は下部領域の側壁に設けられている。こうすれば、この空気流入開口部は下側からは見えない。
【００１２】
有利な一実施形態では、照明器具ハウジングは、上部領域に更に１つあるいは複数の冷却フィンを有する。これらの冷却フィンは、特に有利な実施形態では、１つの上部プレートに設けられている。この場合、この上部プレートは照明器具ハウジングを上方で仕切る。これらの冷却フィンが、このプレートから離れる方向で上を向いていると有利である。これらの冷却フィンによって、照明器具ハウジングから周辺空気に熱が放出される、有効表面積が増大する。
【００１３】
これらの冷却フィンは、例えば熱伝導の良い金属で作ることができ、この金属は特にアルミニウムおよび/または銅を含むことができる。
【００１４】
特に有利な一実施形態では、照明器具ハウジングはこの場合、複数の冷却フィンからなる１つのグループを有し、フィンの高さがこのグループ内で変化する。特に、グループの中央部でフィンの高さを最大とし、周辺部へ向かって低くするとよい。これらのフィンが、収容部の上方の中央部で最大高さを有するのが好ましい。一般には、照明モジュールの中央部に発光体が配置されているので、この部分で大部分の熱が発生する。したがって、この部分でフィンの高さが、そしてそれによって、熱を周辺空気に放出する有効表面積が最大となるように選ばれている。
【００１５】
有利な一実施形態では、照明モジュール用の収容空間はさらに照明器具ハウジングの上部領域に配置されている。特に、照明器具ハウジングは１つの上部プレートを有することができ、この上部プレートの下部に収容部品が設置されている。これによって、照明モジュール内で発生する熱をこの照明器具ハウジングで効果的に周辺空気に移管することができる。この効果は、上述したように、上部プレートの反対側の冷却フィンによりさらに強めることができる。
【００１６】
有利な一実施形態では、照明器具ハウジングは上部領域に多数の空気流出開口部と、および／または下部領域に多数の空気流入開口部とを有する。これら多数の空気流出開口部と空気流入開口部を、１つまたは多数の流路を介して互いに接続することができる。特に、１つの流路を多数の空気流入開口部および／または多数の空気流出開口部と接続することができる。他の実施形態では、照明器具ハウジングは多数の空気流入開口部と多数の空気流出開口部とを有し、それぞれ１つの空気流入開口部が１つの流路を介して１つの空気流出開口部と接続されている。この場合、これらの流路は、組み立られた状態で、照明モジュールが複数の流路の近くに在るように配置されている。これによって、照明モジュールと複数の流路を流れる空気との間の良好な熱的結合が得られる。
【００１７】
有利な一実施形態では、照明器具ハウジングが多数の流路を有し、これらの流路が一緒に１つの空気流入開口部および／または１つの空気流出開口部と接続されている。この場合には、多数の流路を設けるための開口部は少なくて済む。
【００１８】
２個以上の流路が１つの空気流入開口部および／または１つの空気流出開口部に付設される実施形態では、これらの流路を開口部の前の領域にＹ字形に併設することができる。
【００１９】
有利な一実施形態では、１つの収容空間に少なくとも２つの流路が隣接設置されている。これによって、収容空間のためのより良好な冷却効果を得ることができる。
【００２０】
これに替えて、または、これに加えて、照明器具ハウジングが、１つの流路に隣接した複数の照明モジュールのための２つの収容空間を有することができる。この方法により、１つの流路によって少ない必要容積で多数の照明モジュールを冷却することができる。
【００２１】
有利な一実施形態では、空気流入開口部および／または空気流出開口部がスリット形状を有する。幾つかの特に有利な実施形態では、これに替えて、または、これに加えて、流路がスリットとして形成されている。これによって、冷却用の流路表面積と流路容積との特に良好な比率が得られる。こうして、できるだけ小さい容積で、できるだけ大きな冷却作用が得られる。
【００２２】
有利な一実施形態では、上部プレートがさらに空気流出開口部の部分で上向きに曲げられている。特に有利な一実施形態では、上部プレートのこの曲げられた部分が多数の空気流出開口部を有する。これによって、複数の空気流出開口部をさらに上方に配置することができ、空気流入開口部と空気流出開口部との間の流路長が長くなる。この場合には煙突効果がより強くなり、冷却作用が向上する。これに替えて、または、これに加えて、上部プレート上に１つの覆いを、別の部品として、あるいは一体に、備えることができ、この覆いに空気流出開口部が通じる。こうして、開口部は上向きにカバーされるので、汚れや水が流路に浸入することはできない。
【００２３】
有利な一実施形態では、照明器具ハウジングが１つの上部プレートを有し、この上部プレートが空気流入開口部と接し、空気流入開口部の領域で照明器具ハウジングの下部領域に向けて曲げられている。
【００２４】
この上部プレートは、特に一体成形されてもよく、或いは、多数の薄板を含んでも良い。さらに、この空気流入開口部は照明器具ハウジング内に設置された２つの収容空間の間に配置することができる。さらに、上部プレートは多角形状に曲げてもよく、これらの角の間は平面状としてもよい。さらに、この上部プレートは直角に曲げてもよい。他の実施形態では、この上部プレートはアーチ形に下向きに湾曲されている。
【００２５】
上部プレートを湾曲した形にすることにより、表面積がより大きくなり、周辺空気への熱放出が容易になる。こうして、より良好な冷却作用が得られる。この実施形態における上部プレートは、特に流路の全長にわたって流路と接することができる。これにより、流路を流れる空気と上部プレートとの間の効果的な熱移動が可能となる。
【００２６】
有利な一実施形態では、照明器具ハウジングがさらに少なくとも２つの冷却フィンを有し、これらのフィンが少なくとも部分的に流路の中に配置されており、さらに空気流出開口部を通って延在している。これらの冷却フィンは、特に互いに平行に延在することができる。２つの隣接する冷却フィンは、さらに互いに間隔を有することができ、この間隔は特に２５ｍｍ〜１００ｍｍ、好ましくは３０ｍｍ〜７０ｍｍ、特に好ましくは３５ｍｍ〜５０ｍｍである。
【００２７】
この実施形態の利点は、冷却フィンの表面の周りを特に有利に空気が流れることにあり、これにより冷却効果が更に向上する。さらに、この向上された冷却効果は僅かな材料使用量で達成できる。空気流出開口部では、さらにこの開口部を通って延びる複数の冷却フィンにより、少なくとも１つの部分的な開口部が定義される。複数の冷却フィンの間隔の所定の寸法により特に、このように定義された部分開口部が落葉が通るには小さすぎるようにすることによって、この空気流出開口部が汚れ、特に木の葉で詰まるのを防ぐことができる。
【００２８】
他の実施形態では、これらの冷却フィンを互いに傾斜させ、あるいは互いに交差させることができる。特に、これらの冷却フィンを空気流出開口部における格子状構造と規定することができる。その場合には、部分開口部は特にスリット形状または多角形の形を有する。他の実施形態では、これらの冷却フィンは湾曲させることができる。これらの冷却フィンは、空気流出開口部において特に曲線状に縁取られた複数の部分開口部を規定することができる。
【００２９】
独立的な観点において、本発明の課題は、さらに１つの照明モジュールを含む請求項１６による照明器具により解決される。
【００３０】
特に有利な一実施形態では、照明モジュールの１つの側壁が流路の１つの壁を形成する。こうして、照明モジュールから流路中の空気へのより短い熱伝導路が得られるので、より良好な放熱が行なわれる。
【００３１】
流路の１つの壁を形成する、照明モジュールの側壁はさらに、流路に面した側に複数の冷却フィンを有することができ、これによって、熱伝達が行なわれる有効表面積を拡大することができる。この場合には、これらのフィンは、流路中を空気がこれらのフィン間を空気流入開口部から空気流出開口部へ流れることができるようにすべく、特に流路の長手方向に延在することができる。
【００３２】
これらの冷却フィンは、例えば熱伝導性の良い金属で作ることができ、この金属は特にアルミニウムおよび／または銅を含むことができる。これらの冷却フィンは、特に側壁と一体に形成することができる。
【００３３】
照明モジュールは、さらに１つあるいは多数の発光体、特に１つまたは多数のＬＥＤあるいはＬＥＤアレイを含むことができる。
【００３４】
本発明の他の利点および構造的な個別事項は、添付した以下の図に基づく有利な実施例の記載により明らかにされる。
【図面の簡単な説明】
【００３５】
【図１ａ】本発明によるハウジング付き照明器具の第１実施形態の断面図
【図１ｂ】図１ａの照明器具を上から見た平面図
【図２ａ】本発明によるハウジング付き照明器具の第２実施形態の斜視図
【図２ｂ】図２ａの照明器具の断面図
【図２ｃ】図２ａの照明器具の照明モジュールの斜視図
【図３ａ】本発明によるハウジング付き照明器具の第３実施形態の斜視図
【図３ｂ】図３ａの照明器具の断面図
【図３ｃ】図３ａの照明器具の照明モジュールの斜視図
【図４ａ】本発明によるハウジング付き照明器具の第４実施形態の斜視図
【図４ｂ】図４ａの照明器具の断面図
【図４ｃ】図４ａの照明器具の照明モジュールの斜視図
【図５ａ】本発明によるハウジング付き照明器具の第５実施形態の斜視図
【図５ｂ】図５ａの照明器具のA-A線に沿った断面図
【図５ｃ】図５ａの照明器具の照明モジュールの斜視図
【発明を実施するための形態】
【００３６】
図１ａと図１ｂに、本発明による照明器具ハウジングおよび照明器具の第１実施形態が示されている。この照明器具ハウジング１００は、２つの流路１１０を有する。これらの流路１１０は、それぞれ空気流入開口部１３０と空気流出開口部１２０との間に延在している。複数の空気流入開口部が、照明器具ハウジング１００の複数の側壁１０２に配置されている。複数の空気流出開口部１２０が、照明器具ハウジング１００の上面部１０１に在る。これらの空気流出開口部１２０は、図１ｂから分かるように、スリット状に形成されている。これらの流路１１０は、それぞれ２つの部位を有する。流路１１０の空気流出開口部１２０に隣接する上部部位１１１は直線状に延び、上面部１０１に対してほぼ垂直である。流路１１０の下部部位１１２は上部部位１１１に対して傾斜し、上部部位１１１から空気流入開口部１３０まで延在している。空気流出開口部１２０は、空気流入開口部１３０よりもいくらか狭い。この照明器具ハウジング１００には、さらに１つの反射器１４０が設置されている。この反射器の内部には、組み立てられた状態で、１つの発光体１５１が在る。さらに照明器具ハウジング１００下面部に１つのカバー１６０が取り付けられ、発光体１５１から放出された光はこのカバーを通して照明器具ハウジング１００から出る。
【００３７】
図２ａ〜図２ｃに、本発明による照明器具ハウジングおよび照明器具の第２実施形態が示されている。この照明器具ハウジング２００は、その複数の側壁２０２ａおよび端面２０２ｂに多数の空気流出開口部２２０を有する。これらの空気流出開口部２２０は、それぞれ壁面２０２ａ、２０２ｂの上部領域に配置されている。照明器具ハウジングの下面部には、多数の空気流入開口部２３０が在る。複数の壁面に設けられた多数の空気流出開口部２２０は、複数の空気流入開口部２３０と複数の流路２１０を介して接続されている。矢印２１１ａ〜２１１ｄは、空気流入開口部から空気流出開口部までの空気の流れを示す。さらにこの照明器具ハウジング２００には、１つの光源２５１と１つの反射機構２４０とを備えた複数の照明モジュール２５０が在る。光源２５１で発生した光は、カバー２６０を通って、この照明器具ハウジング２００から出る。照明モジュール２５０で発生した熱は、このモジュール２５０の１つの側壁２５６から放出される。この側壁は、同時に流路２１０の１つの壁を形成するので、この熱は流路２１０内の空気に効果的に伝えられる。
【００３８】
この照明器具ハウジング２００には、中央部に更に２つの流路２１０が追加して設けられており、これらの追加された流路はそれぞれ照明器具ハウジングの下面部の１つの空気流入開口部２３０と接続されている。これらの中央部の両方の流路２１０はそれぞれ、垂直に配置された１つの開口部２２０で終端している。この暖められた空気は、上面部に設けられた１つの中央の開口部２２５を通ってこの照明器具ハウジング２００から出る。この実施形態の利点は、２つの同一の照明モジュールを使用することができることにある。それぞれの流路２１０は、その片側が照明器具ハウジングの１つの壁面で、その反対側が照明モジュール２５０の１つの側壁で形成されている。複数の照明モジュール２５０は、その上面部２５５で照明器具ハウジング２００の上部プレート２８０に固定されている。
【００３９】
この照明器具ハウジング２００はさらに、これを例えば街灯用支柱に取り付けるための固定機構２９０を含む。
【００４０】
図２ｃは照明モジュール２５０を示す。この図で上面部２５５と側壁２５６がわかる。照明モジュールの側壁２５６は、照明器具の流路２１０の１つの壁面を形成する。この実施形態における側壁２５６は、さらに複数の冷却フィンを備えているので、それを介して熱が流路２１０の中の空気に放出される表面積が拡大されている。
【００４１】
図３ａ〜図３ｃは、本発明による照明器具ハウジングないし照明器具の第３実施形態を示す。この実施形態の第２実施形態との違いは、ハウジング３００の上面部３０１に追加して配置された複数の平行な冷却フィンの複数のグループ３７０である。これらのフィンは、上面部３０１から上方に垂直に延びている。これらのフィンの長さは様々に変化している。照明モジュール２５０の上部の中央でフィンは最も長く、両側へ向かって短くなっている。冷却フィンのグループ３７０は、照明モジュール２５０の収容空間の上部だけでなく、流路２１０の上部にも広がっている。これらの冷却フィンは、熱が発生する照明モジュール２５０の領域で最も強く現れる追加の冷却効果を及ぼす。
【００４２】
図４ａ〜図４ｃは、本発明による照明器具ハウジングないし照明器具の第４実施形態を示す。この照明器具ハウジング４００は、１つの上部プレート４８０を有し、この上部プレートは中央部の空気流出開口部の領域で上に向けて湾曲している。その開口部は１つのフード４８５で覆われている。このフード４８５と上部プレート４８０との間の縁部に、複数の空気流出開口部４２５が配置されている。このフード４８５は、異物が開口部４２５の下の流路４２５に侵入するのを防ぐ。他の実施形態では、照明器具ハウジングに複数の側壁を追加して備えることができ、これらの追加の側壁は湾曲部の領域の流路の幅を狭める。このようにして、所望の流路幅を調節することができる。
【００４３】
図５ａ〜図５ｃは、本発明による照明器具ハウジングないし２つの照明モジュール５５０を備えた照明器具の更に別の実施形態を示す。この照明器具ハウジング５００は、さらに１つの幅広の流路５１０および１つの幅広の空気流入開口部５３０とを有し、この幅広の空気流入開口部５３０は、照明器具ハウジング５００の中央部において照明モジュール５５０用の複数の収容空間の間に配置されている。これらの収容空間も、同様に幅広の形状となっている。この流路５１０およびこの空気流入開口部５３０は、照明モジュール５５０用の複数の収容空間の長手方向と平行に延在している。空気流入開口部５３０はその長手側面が、中央に配置された空気流入開口部５３０の領域で下方に曲げられた上部プレート５８０と接している。空気流入開口部５３０に長手方向に繋がっている２つの領域で、上部プレート５８０が照明モジュール５５０用の複数の収容空間の上部に在る。この上部プレート５８０は更に、流路５１０と平行に延びるキール要素５７５（船の竜骨状の要素）を有している。さらにこれらのキール要素５７５はそれぞれ、照明モジュール５５０用の複数の収容空間の上部の中央部に配置されている。さらにこの照明器具ハウジング５００は、流路５１０に垂直な多数の冷却フィン５７０を有している。これにより、これらの冷却フィン５７０は同様に、収容された幅広の複数の照明モジュール５５０に垂直である。これらの冷却フィン５７０は、更に流路５１０を通って延びている。これらの冷却フィン５７０は、特に空気流入開口部５３０から始まり、上方へ延びる。２つの隣接した冷却フィンは互いに等間隔を有する。流路５１０は、キール要素５７５の部分における空気流出開口部で終端する。これらの冷却フィン５７０は、空気流出開口部が複数の部分開口部において同一寸法の帯状に分割されるように配置されている。このように規定された帯状の部分開口部は特に同じ幅を有する。
【００４４】
ここに示された照明器具の点灯中に、発生した熱により気流が生じ、この気流は図５ｂにおいて矢印５１１ａｂｃｄで示されている。矢印５１１ａｄが照明器具ハウジング５００の横方向を走るのに対し、矢印５００ｂｃは流路５１０を通る気流を示す。空気は空気流入開口部５３０を通って中央に配置された流路５１０に入り、複数の収容空間の間を通り抜ける。この気流は、キール要素５７５の部分で広がる。
【００４５】
図５ｂの照明器具にも示されている照明モジュール５５０が図５ｃに示されている。この照明モジュール５５０は、１つの上面部５５５と複数の側壁５５６とを備えた幅広の形状をしている。これらの側壁５５６は、上面部５５５に対して或る角度で傾いている。この角度は、９０°より小さい。さらにこの照明モジュール５５０は、その下部に２つのフランジ５５７を有する。これらのフランジ５７０は、照明モジュール５５０の上面部５５５と平行に延びている。さらに、これらのフランジ５５７にそれぞれ２つの孔５５８が開けられている。これらの孔５５８は、照明モジュール５５０をねじで照明器具ハウジングに固定するためのものである。これらの孔はさらに、照明モジュール５５０ないし照明器具ハウジングの製造時の製造誤差を補償するために、横方向に膨らんでいる。上面部５５５は平坦である。
【００４６】
これらの照明モジュール５５０を収容すべく、この照明器具ハウジング５００は２つの収容空間を有する。それぞれの収容空間は、２つの支持要素５０３ａｂｃｄを有する。これらの支持要素５０３ａｂｃｄは、図５ｂの断面図においてL字形の曲げ部を有する。これらの支持要素５０３ａｂｃｄは、それぞれ１つの上部脚部と１つの下部脚部を有し、上部脚部は流路５１０の延在方向とほぼ平行であり、下部脚部は空気流入開口部５３０と平行である。組立のためには、照明モジュール５５０はフランジ５５７の孔５５８で支持要素５０３ａｂｃｄの下部脚部にねじ止めされる。それぞれの収容空間は、さらに１つの照明モジュール５５０について１つの熱伝導部５０４ａｂを有し、この熱伝導部は空気流入開口部５３０とほぼ平行に延びている。これらの熱伝導部５０４ａｂは平坦である。組み立てられた状態では、照明モジュール５５０の上面部５５５は熱伝導部５０４ａｂと平らに接している。このようにして得られた、照明器具ハウジング５５０の上面部５５５と熱伝導部５０４ａｂとの比較的大きな接触面積によって、照明モジュール５５０から熱伝導部５０４ａｂへの効果的な熱伝導が得られ、これによって照明モジュール５５０の冷却が更に改善される。複数のキール要素５７５は更に、熱伝導部５０４ａｂの上方の中央部に配置されている。
【００４７】
他の実施形態では、照明モジュールの上面部と照明器具ハウジングの熱伝導部を平坦でない形状とすることができる。特に、両者は複数のフィンを有することができる。照明モジュールの複数のフィンと照明器具ハウジングの複数のフィンは特に、それらが互いに係合するような形状とすることができる。こうすることで接触面積が拡大され、照明モジュールと照明器具ハウジングとの間の熱伝導が更に改善される。
【００４８】
図５ｂに、同様に照明モジュール５５０のカバー５６０が示されている。この図示された実施形態では、両方の収容空間が同一に形成されているので、２つの同一の照明モジュール５５０を使用することができる。
【００４９】
照明器具ハウジング５００は、更に付加的な複数の冷却フィンを有する。これらの冷却フィンは、上部プレート５８０の上面５０１に在り、この上面に垂直に延びている。これらの付加的な冷却フィン５７１は、複数の冷却フィン５７０と平行に配置されている。この場合、これらの付加的な冷却フィン５７１は流路５１０の外部に在る。これらの付加的な冷却フィン５７１によって、照明器具ハウジング５００の冷却が更に改善される。
【００５０】
この実施形態では特に、上部プレート５８０、複数のキール要素５７５および複数の冷却フィン５７０ならびに付加的な冷却フィン５７１は一体として形成されている。他の実施形態では、特に複数の冷却フィン５７０および／または複数の付加的な冷却フィン５７１は独立した部品として形成することができる。更に別の実施形態では、複数の熱伝導部５０４aｂを独立した部品として形成することができる。その場合、複数のキール要素５７５は複数の薄板に一体的に配置することができる。
【符号の説明】
【００５１】
１００、２００、３００、４００、５００          照明器具ハウジング
１０１、２０１、３０１、４０１、５０１          上面部
１０２、２０２ａ、３０２ａ、４０２ａ            側壁
２０２ｂ、３０２ｂ、４０２ｂ                    端面
１１０、２１０、３１０、４１０、５１０          流路
１１１                                          上部流路
１１２                                          下部流路
１２０、２２０、２２５、３２０、３２５、４２０、４２５  空気流出開口部
１３９、２３０、３３０、４３０、４３５、５３０    空気流入開口部
１４０、２４０                                    反射器
１５１、２５１                                    発光体
１６０、２６０、５６０                            カバー
２１１ａｂｃｄ、３１１ａｂｃｄ、４１１ａｂｃｄ、５１１ａｂｃｄ
気流を示す矢印
２５０、５５０                                    照明モジュール
２５５、５５５                                    上面部
２５６、５５６                                    側壁
２８０、３８０、４８０、５８０                    上部プレート
２９０、３９０、４９０                            固定装置
３７０                                            冷却フィンのグループ
４８５                                            フード
５５７                                            フランジ
５５８                                            孔
５０３ａｂｃｄ                                    支持要素
５０４ａｂ                                        熱伝導部
５７０、５７１                                    冷却フィン
５７５                                    キール要素（船の竜骨状要素）
【図１ａ】
2013524450.tif 000003
【図１ｂ】
2013524450.tif 000004
【図２ａ】
2013524450.tif 000005
【図２ｂ】
2013524450.tif 000006
【図２ｃ】
2013524450.tif 000007
【図３ａ】
2013524450.tif 000008
【図３ｂ】
2013524450.tif 000009
【図３ｃ】
2013524450.tif 000010
【図４ａ】
2013524450.tif 000011
【図４ｂ】
2013524450.tif 000012
【図４ｃ】
2013524450.tif 000013
【図５ａ】
2013524450.tif 000014
【図５ｂ】
2013524450.tif 000015
【図５ｃ】
2013524450.tif 000016
【国際調査報告】
2013524450.tif 000017
2013524450.tif 000018
2013524450.tif 000019
2013524450.tif 000020